(57)【要約】【課題】簡単・確実にガス、炭火や電気のコンロのグリルを清掃できるグリル清掃具を提供する。【解決手段】  ワイヤ製のグリルを清掃するグリル清掃具であって、このグリル清掃具は板状の本体と、この本体の外端に設けられた複数の清掃部とから構成され、この複数の清掃部はグリルの複数のサイズのワイヤにそれぞれに嵌合可能な複数のサイズを有することを特徴とするグリル清掃具。【選択図】図２
2018083183.tif 000002
【特許請求の範囲】
【請求項１】
ワイヤ製のグリルを清掃するグリル清掃具であって、このグリル清掃具は板状の本体と、この本体の外端に設けられた複数の清掃部とから構成され、この複数の清掃部はグリルの複数のサイズのワイヤにそれぞれに嵌合可能な複数のサイズを有することを特徴とするグリル清掃具。
【請求項２】
請求項１のグリル清掃具の清掃部を本体の周りの円周上に配置したことを特徴とするグリル清掃具。
【請求項３】
請求項１のグリル清掃具の清掃部を細長い本体の長手方向に配置したことを特徴とするグリル清掃具。
【請求項４】
請求項１乃至請求項３の何れかのグリル清掃具の清掃部は、外方に拡大開口する案内部と、この案内部の奥に半円形部を有することを特徴とするグリル清掃具。
【発明の詳細な説明】
【技術分野】
【０００１】  この発明は、ガス、炭火や電気のコンロに使われているワイヤで作られた網焼き用グリルを清掃するグリル清掃具に関する。
【背景技術】
【０００２】  網焼き用レンジのグリルで魚を焼くとグリルに油が付着して清掃するのに苦労していた。一般的に使用されているスポンジたわしでは油が十分取れず、残った油が次回の使用時に加熱されて硬化し、ますます取れ難くなる問題があった。
【先行技術文献】
【特許文献】
【０００３】
【特許文献１】特開２０１４−１０４２３７
【特許文献２】特開２００３−１８０５９０
【発明の概要】
【発明が解決しようとする課題】
【０００４】  この為、特許文献１に示すような金属製のステンレスたわし６が用いられることがあったが、このようなステンレスたわし６でも、硬化した汚れを落とすことは難しかった。特に、ワイヤとワイヤの接合部などにはステンレスたわし６が届かず、汚れが蓄積していく問題があった。【０００５】  この為、特許文献２に示す金属ブラシ５が開発されているが、このような金属ブラシ５でも金属ブラシ５の腰が弱く、汚れの部分に力が入らず、硬化した汚れが取れなかった。そこで、スクレーパー等でこすり落とすことも考えられるが、ワイヤの表面の一部しか汚れが取れず、ワイヤの曲面の全面を清掃するには何度もスクレーパーを往復する必要があった。
【課題を解決するための手段】
【０００６】  ワイヤ製のグリルを清掃するグリル清掃具であって、このグリル清掃具は板状の本体と、この本体の外端に設けられた複数の清掃部とから構成され、この複数の清掃部はグリルの複数のサイズのワイヤにそれぞれに嵌合可能な複数のサイズを有することを特徴とするグリル清掃具。
【発明の効果】
【０００７】  この発明により上記の問題点を解決し、簡単・確実にグリルを清掃できるグリル清掃具を提供することができる。
【図面の簡単な説明】
【０００８】
【図１】第一の実施例のグリル清掃具の平面図である。
【図２】第二の実施例のグリル清掃具の平面図である。
【図３】第二の実施例のグリル清掃具の正面図である。
【図４】第二の実施例のグリル清掃具である図２のＡＡ断面図の一部である。
【図５】第一の実施例のグリル清掃具の六面図である。左側面図は右側面図と同一に表れる。底面図は平面図と同一に表れる。
【図６】第二の実施例のグリル清掃具の六面図である。
【図７】第三の実施例のグリル清掃具の平面図である。
【図８】この発明の効果を説明する図である。
【発明を実施するための形態】
【０００９】  ワイヤ製のグリルを清掃するグリル清掃具であって、このグリル清掃具は板状の本体と、この本体の外端に設けられた複数の清掃部とから構成され、この複数の清掃部はグリルの複数のサイズのワイヤにそれぞれに嵌合可能な複数のサイズを有することを特徴とするグリル清掃具。
【００１０】  上記のグリル清掃具の清掃部を本体の周りの円周上に配置したことを特徴とするグリル清掃具。
上記のグリル清掃具の清掃部を細長い本体の長手方向に配置したことを特徴とするグリル清掃具。
上記の何れかのグリル清掃具の清掃部は、外方に拡大開口する案内部と、この案内部の奥に半円形部を有することを特徴とするグリル清掃具。
【実施例】
【００１１】  図１と図５により第一の実施例のグリル清掃具を説明する。この実施例のグリル清掃具１０は断面円形のワイヤ製のグリル４０を清掃するグリル清掃具１０であって、グリル清掃具１０は板状の本体２０と、本体２０の外端に設けられた複数の清掃部３０とから構成されている。グリル清掃具１０は、ステンレス等の金属製の板で一体成型されるのが好ましいが、硬質のプラスチックで一体成型してもよい。【００１２】  本体部２０は円形の中央部から３つの突起部２１が外方に延在している。突起部２１の先端部には清掃部３０が形成されている。清掃部３０は、外方に拡大する案内部３２と、案内部３２から続く平行部３３と、平行部３３の奥の半円形部３１から構成されている。【００１３】  清掃部３０には、グリル４０のワイヤの直径より少しだけ大きいサイズの直径を有する半円形部３１を設けてある。ワイヤのサイズは複数あるのでそれに合わせて複数のサイズの清掃部３０が設けてある。半円形部３１の直径は、一例として２．５ｍｍ、３．０ｍｍ、４．０ｍｍである。ワイヤの材料の線径はＪＩＳにより決まっているので、この線径より少し大きい半円形部３１とするのが好ましい。【００１４】  この実施例のグリル清掃具１０は、本体部２０を指で把持し、清掃部３０にグリル４０のワイヤを挿入し、スライドさせて汚れをかき落とすことができる。清掃部３０に半円形部３１が設けられているので、ワイヤの半周を一度に清掃することができる。ワイヤのサイズが異なっても、複数のサイズの清掃部３０を選択することにより、ワイヤサイズに合った清掃が可能となる。【００１５】  このことを、図８により説明する。参考図１や参考図２のような清掃部３０の形状にして複数のサイズのグリル４０を清掃することができる。しかし、グリル４０と清掃部３０の接触がグリル４０の一部に限定されるので、全面を清掃するには何回も往復しなければならない。これが、発明の構造であると、グリル４０の半面を一度に清掃することができる。【００１６】  又、清掃部３０には外方に拡大する案内部３２が設けてあるので、ワイヤを挿入する際のガイドの役目を有し、ワイヤの挿入を容易としている。そして、隣接する二つの突起部２１が翼を広げたように張り出しているので、グリル清掃具１０をしっかり保持することができる。【００１７】  図２、図３、図４、図６により、第二の実施例のグリル清掃具１０を説明する。この実施例の各突起部２１は先端側を傾斜するようにしてある。このようにすることにより、清掃部３０が適切な角度をもってグリル４０に当接するので、清掃がスムーズに行える。又、グリル清掃具１０を台上に置いた場合、摘み易い効果もある。なお、清掃部３０の半円形部３１には図４に示す逃げ角αが設けてあるので汚れをうまく掻き出すことができる。αは例えば３度程度が好ましい。【００１８】  本体部２０の略中央部には孔を開け、滑り止め２２としている。油汚れにより、グリル清掃具１０が滑り易くなるので、これを防止するものである。なお、清掃部３０のサイズの差が小さいと区別が付きにくいので、目印２３も設けてある。【００１９】  図７は、第三の実施例のグリル清掃具１０であり、本体部２０は細長い形状とし、先端と側端にかけ��複数の清掃部３０を設けたものである。清掃部３０を指で握る必要がないため、手が汚れない利点がある。
【産業上の利用可能性】
【００２０】  この発明は、ガス、炭火や電気のレンジのグリル用を主とした目的とするが、ワイヤ製の収納具の清掃にも利用可能である。
【符号の説明】
【００２１】１０はグリル清掃具
２０は本体部
２１は突起部
２２は滑り止め
２３は目印
３０は清掃部
３１は半円形部
３２は案内部
３３平行部
４０はグリル
【図１】
2018083183.tif 000003
【図２】
2018083183.tif 000004
【図３】
2018083183.tif 000005
【図４】
2018083183.tif 000006
【図５】
2018083183.tif 000007
【図６】
2018083183.tif 000008
【図７】
2018083183.tif 000009
【図８】
2018083183.tif 000010